(57)【特許請求の範囲】
【請求項１】
綴り足部材の長手方向一対の綴り足をそれぞれ挿通する一対の挿通孔を備えた長尺の押え金具と、この押え金具に長手方向にスライド可能に結合された係止杆とが備えられ、上記係止杆は、中央部で上に凸に折り曲げ可能に連結された一対の中央杆と、各中央杆の端部に上に凹に折り曲げ可能に連結された一対の側部杆とからなっているとともに、各側部杆がそれぞれ離間方向にスライドすることにより上記挿通孔から突出した綴り足を押え金具との間に押圧挟持する綴り姿勢と、各側部杆がそれぞれ近接方向にスライドすることにより各中央杆が逆Ｖ字状に上方に突出した状態で上記押圧挟持が解除される解除姿勢との間で姿勢変更可能に構成され、上記一方の中央杆の上面には、他方の中央杆の上面に亘るように操作片が取り付けられ、上記押え金具は、板状の金具本体と、この金具本体の幅方向両側部が互いに対向する方向に向けて折り返されることによって対向縁部が形成された断面視でＬ字状の一対のガイド突条とを備え、上記ガイド突条の中央部には、上記対向縁部が切り込まれることにより形成された上記係止杆を押え金具に装着するための装着口が設けられ、上記各側部杆は、断面視で逆Ｕ字形状に設定された側部杆本体と、この側部杆本体の両側部から互いに反対方向に突設された長手方向に延びる幅方向一対の被ガイド突条とを有し、上記係止杆は、上記一対の被ガイド突条を、上記一対のガイド突条間に嵌め込むことにより、上記側部杆が当該一対のガイド突条に案内されつつ押え金具上をスライドし得るように構成されていることを特徴とする綴り具。
【請求項２】
上記操作片は、上記中央杆に着脱自在に装着されていることを特徴とする請求項１記載の綴り具。
【発明の詳細な説明】
【０００１】
【発明の属する技術分野】
本発明は、書類を綴る綴り具の改良に関するものである。
【０００２】
【従来の技術】
従来、実公昭５７−２０３７９号公報に記載されているような綴り具が知られている。この綴り具１００は、図７に示すように、書類Ｄを押さえる押え金具１１０と、この押え金具１１０にスライド可能に積層される係止杆１２０とからなっている。押え金具１１０には、綴り足部材２００の綴り足２１０を通す一対の挿通孔１１１が穿設されており、書類Ｄの綴り孔Ｄ１に通されて上部に突出した綴り足２１０が、図７の（イ）に示すように、挿通孔１１１に挿通されるようになっている。
【０００３】
一方、係止杆１２０は、中央部で上に凸に折り曲げ可能に連結された一対の中央杆１２１と、各中央杆１２１の端部に上に凹に曲折可能に連結された一対の側部杆１２２とからなっており、各側部杆１２２は、離反しない状態でスライド可能に押え金具１１０上に積層されている。
【０００４】
従って、図７の（イ）に示すように折れ曲がって上方に突出した一対の中央杆１２１の接合部分を下方に押圧することにより、各側部杆１２２が押え金具１１０上を互いに離間する方向にスライドし、これによって、図７の（ロ）に示すように、各中央杆１２１が水平姿勢になるとともに、各側部杆１２２が綴り足２１０を押し倒して押え金具１１０間に押圧挟持し、書類Ｄが綴り具１００によって綴られた状態になる。
【０００５】
逆に、一旦綴られた書類Ｄを解くには、図７の（ロ）に示す状態で、一対の中央杆１２１の接続部分を指で摘まんで上方に引き上げればよい。そうすると、一対の中央杆１２１が逆Ｖ字状で押え金具１１０上に突出するとともに、一対の側部杆１２２が押え金具１１０上を互いに接近する方向に移動して図７の（イ）に示す状態に戻るため、綴り足２１０の係止が解除され、これによって綴り具１００から書類Ｄを外すことが可能になる。
【０００６】
【発明が解決しようとする課題】
ところで、従来の上記のような綴り具１００にあっては、係止杆１２０で押さえられた綴り足２１０の押圧を解除するためには、一対の中央杆１２１の接合部分を指で摘まんで上方に引き上げなければならず、操作が困難であるという問題点を有していた。
【０００７】
本発明は、上記のような問題点を解決するためになされたものであり、係止杆で押さえられた綴り足の押圧解除操作が容易な綴り具を提供することを目的としている。
【０００８】
【課題を解決するための手段】
請求項１記載の綴り具は、綴り足部材の長手方向一対の綴り足をそれぞれ挿通する一対の挿通孔を備えた長尺の押え金具と、この押え金具に長手方向にスライド可能に結合された係止杆とが備えられ、上記係止杆は、中央部で上に凸に折り曲げ可能に連結された一対の中央杆と、各中央杆の端部に上に凹に折り曲げ可能に連結された一対の側部杆とからなっているとともに、各側部杆がそれぞれ離間方向にスライドすることにより上記挿通孔から突出した綴り足を押え金具との間に押圧挟持する綴り姿勢と、各側部杆がそれぞれ近接方向にスライドすることにより各中央杆が逆Ｖ字状に上方に突出した状態で上記押圧挟持が解除される解除姿勢との間で姿勢変更可能に構成され、上記一方の中央杆の上面には、他方の中央杆の上面に亘るように操作片が取り付けられ、上記ガイド突条の中央部には、対向した縁部が切り込まれることにより形成された上記係止杆を押え金具に装着するための装着口が設けられ、上記押え金具は、板状の金具本体と、この金具本体の幅方向両側部が互いに対向する方向に向けて折り返されることによって形成された断面視でＬ字状の一対のガイド突条とを備え、上記各側部杆は、断面視で逆Ｕ字形状に設定された側部杆本体と、この側部杆本体の両側部から互いに反対方向に突設された長手方向に延びる幅方向一対の被ガイド突条とを有し、上記押え金具は、上記一対の被ガイド突条を、上記一対のガイド突条間に嵌め込むことにより、上記側部杆が当該一対のガイド突条に案内されつつ押え金具上をスライドし得るように構成されていることを特徴とするものである。
【０００９】
この綴り具によれば、書類の綴り孔に一対の綴り足を通した状態で、各綴り足を押さえ金具の挿通孔に差し通し、解除姿勢に姿勢設定されている係止杆の各中央杆を下方に向けて押圧することにより、各側部杆は押え金具に案内されつつ挿通孔から上方に突出している綴り足を押し倒しながら互いに離間する方向に移動し、係止杆が綴り姿勢に設定されることにより綴り足が側部杆と押さえ金具との間に押圧挟持され、これによって書類が綴り具で綴られた状態になる。
【００１０】
逆に綴り具に綴られた書類の綴りを解消するには、操作片の先端を指で摘まんで引き起こせばよい。こうすることによって一対の中央杆は、その連結位置が上に凸に折れ曲がって逆Ｖ字状に押え金具上に立直するとともに、各側部杆は互いに近接する方向に移動して係止杆は綴り姿勢から解消姿勢に姿勢変更する。そして、係止杆が解消姿勢に設定されると、綴り足の側部杆および押え金具間の押圧挟持が解消されるため、綴り足を押え金具の挿通孔から引き抜くことにより書類は綴り状態が解消される。
【００１１】
そして、一方の中央杆の上面には、他方の中央杆の上面に亘るように操作片が取り付けられているため、綴り姿勢に設定されている係止杆を解除姿勢に姿勢変更するに際し、操作片の先端と中央杆の曲折位置との間の距離、すなわちモーメントの支点と力点との間の距離が、操作片が存在しない場合に比較して長くなっているため、中央杆の引き起こしが楽に行われ、これによって書類の解綴操作が容易になる。
【００１２】
請求項２記載の綴り具は、請求項１記載の綴り具において、上記操作片は、上記中央杆に着脱自在に装着されていることを特徴とするものである。
【００１３】
この綴り具によれば、操作片として各種のデザインを施したものの複数種類を予め用意しておくことにより、操作片を好みに応じて取り換えることが可能になる。また、顧客の要望に応じて調製した操作片を取り付けたものを容易にオーダーメイドすることが可能になる。
【００１４】
【発明の実施の形態】
図１は、本発明に係る綴り具の一実施形態を示す分解斜視図である。また、図２および図３は、その組立て斜視図であり、図２は係止杆が綴り解除姿勢に設定された状態、図３は係止杆が綴り姿勢に設定された状態をそれぞれ示している。さらに、図４は、図３のＡ-Ａ線断面図である。これらの図に示すように、綴り具１は、書類Ｄ（図２、図３）に装着される綴り足部材２と、書類Ｄを介してこの綴り足部材２に装着される押え金具３と、この押え金具３にスライド可能に積層される係止杆４とからなる基本構成を有している。
【００１５】
上記綴り足部材２は、合成樹脂製の可撓性を有する部材であり、細長い板状体からなる挟み板２１と、この挟み板２１の両側部に立設された長手方向一対の綴り足２２とからなっている。挟み板２１の各端部にはそれぞれ止め孔２３が穿設されている。この止め孔２３は、必要に応じて図略のファイル表紙に綴り足部材２を固定するためのものである。綴り足２２は、書類Ｄの綴り孔Ｄ１（図２）に挿通されるものであり、各綴り足２２の互いに反対側の面には１列に並んだ複数個の係止突片２２ａが突設されている。
【００１６】
上記押え金具３は、書類Ｄを介して綴り足部材２の挟み板２１に積層されるものであり、金属板がプレス加工されることにより形成されている。かかる押え金具３は、綴り足部材２より長い板状の金具本体３１と、この金具本体３１の幅方向両側部が互いに対向するように折り返されることによって形成された断面視でＬ字状のガイド突条３２とを備えて形成されている。
【００１７】
各ガイド突条３２と金具本体３１との間に係止杆４のスライドを案内するガイド溝３３が形成されている。ガイド突条３２の縁部間の距離は、綴り足２２の幅寸法より若干大きく寸法設定され、これによって綴り足２２はガイド突条３２間に嵌まり込むことができるようになっている。
【００１８】
各ガイド突条３２の中央部には、対向した縁部が切り込まれて形成した、係止杆４を押え金具３に装着するための装着口３４が設けられている。また、金具本体３１の装着口３４近傍には、長手方向一対の第１係止突起３１ａが突設されている。これらの第１係止突起３１ａの各対向面には、互いに対向方向に先下がりの傾斜面３１ｂが形成されている。
【００１９】
また、金具本体３１の第１係止突起３１ａより外方位置には、上記綴り足２２を挿通する長手方向一対の挿通孔３５が穿設され、これらの挿通孔３５に綴り足２２をそれぞれ挿通することにより、押え金具３が綴り足部材２に結合されるようになっている。
【００２０】
さらに、金具本体３１における各挿通孔３５の外側位置には、長手方向に向けて並設された２個ずつの小さな第２係止突起３１ｃがそれぞれ突設されている。これらの第２係止突起３１ｃは、金具本体３１上で互いに反対方向に折れ曲がった綴り足２２の係止突片２２ａ間に嵌まり込み、これによって綴り足２２がずれるのを防止するためのものである。
【００２１】
上記係止杆４は合成樹脂原料を射出成形することによって一体に形成されている。かかる係止杆４は、長手方向一対の中央杆４１と、これら中央杆４１の外側端部に連設された長手方向一対の側部杆４２と、一方の中央杆４１に着脱自在に取り付けられた操作片４３とからなっている。一対の中央杆４１は、長手方向で対向した下端部同士が中央蝶番部４４（図２）によって互いに上に凸に曲折可能に連結されているとともに、中央杆４１と側部杆４２とは、互いに対向した上端部同士が側部蝶番部４５によって互いに上に凹に曲折可能に連結されている。
【００２２】
上記各蝶番部４４，４５は、係止杆４を所定の金型を用いて成形するときに中央杆４１および側部杆４２と同時に一体に形成されるものであり、肉薄に厚み設定することにより、合成樹脂材料が本来的に備えている可撓性によって弾性変形しながら折れ曲がることができ、これによって蝶番の役割を果たすようになっている。
【００２３】
また、中央杆４１は、ガイド突条３２間の隙間寸法より僅かに幅狭に形成されているとともに、厚み寸法（上下方向の寸法）がガイド突条３２の上下寸法より若干厚めに設定され、これによって上部がガイド突条３２から若干上部に突出した状態で金具本体３１上をスライドしながらガイド突条３２間に嵌まり込み得るようになっている。
【００２４】
上記側部杆４２は、断面視で逆Ｕ字形状に設定された側部杆本体４２ａと、この側部杆本体４２ａの両側部から互いに反対方向に突設された長手方向に延びる幅方向一対の被ガイド突条４２ｂと、側部杆本体４２ａの側部蝶番部４５と反対側の端部に上方に向かって突設された指掛け突起４２ｃとからなっている。側部杆本体４２ａは、幅寸法および上下寸法が中央杆４１のそれらと同一に設定されているとともに、長さ寸法が押え金具３の装着口３４の長さ寸法より若干短めに設定されている。
【００２５】
また、上記被ガイド突条４２ｂは、押え金具３のガイド溝３３の溝幅寸法より若干薄めに寸法設定されているとともに、被ガイド突条４２ｂ間の外寸法は、一対のガイド溝３３の互いに対向した溝底間の寸法より若干短めに寸法設定され、一対の被ガイド突条４２ｂを、装着口３４を通して対応したガイド溝３３に嵌め込むことにより、側部杆４２がガイド溝３３に案内されつつ金具本体３１上をスライドし得るようになっている。
【００２６】
かかる一対の側部杆４２には、対向端部に側部杆４２の逆Ｕ字状の溝を塞ぐ仕切り壁４２ｄが設けられている。従って、側部杆４２をガイド突条３２間に嵌め込むに際し、被ガイド突条４２ｂを装着口３４からガイド溝３３に嵌め込んでいくと、仕切り壁４２ｄが第１係止突起３１ａに干渉するが、第１係止突起３１ａには傾斜面３１ｂが設けられているため、仕切り壁４２ｄがこの傾斜面３１ｂに誘導されて登り、被ガイド突条４２ｂの弾性変形により第１係止突起３１ａを遣り過ごすことによって側部杆４２がガイド突条３２間に装着されるようになっている。
【００２７】
かかる一対の中央杆４１と一対の側部杆４２とが直列に連結された係止杆４は、長さ寸法が押え金具３の第２係止突起３１ｃ間の外寸法より長めに設定され、これによって係止杆４が押え金具３に装着され、かつ、操作片４３が押え金具３の中央位置に位置設定された状態で、各側部杆４２は、第２係止突起３１ｃを覆い得るようになっている。
【００２８】
上記操作片４３は、一方の中央杆４１の天板４１ａ上に一方の側部が固定され、これによって他方の側部が他方の中央杆４１の天板４１ａ上に架るようになっている。本実施形態においては、操作片４３は、デザイン性をも考慮して平面視で楕円形状に形状設定されている。
【００２９】
かかる操作片４３は、図４に示すように、中央杆４１の天板４１ａに取り付けられる板状の操作片本体４３ａと、この操作片本体４３ａの裏面側に下方に向かって突設された２つの圧入突片４３ｂとからなっている。操作片本体４３ａは、長さ寸法が中央杆４１の長さ寸法と略同一に設定され、その左半分が図４の左方の中央杆４１に固定されることによって右半分が右方の中央杆４１の天板４１ａに当接した状態になっている。
【００３０】
また、上記圧入突片４３ｂは、操作片本体４３ａの左半分に設けられている一方、左の中央杆４１の天板４１ａには、圧入突片４３ｂに対応した圧入孔４１ｂが穿設されている。この圧入孔４１ｂの孔径寸法は、圧入突片４３ｂの外径寸法より僅かに小さく径設定されている。従って、圧入突片４３ｂを圧入孔４１ｂに対向させた状態で操作片本体４３ａを中央杆４１の方向に押圧することにより、圧入孔４１ｂが拡径しながら、あるいは圧入突片４３ｂが縮径しながら、あるいは圧入孔４１ｂの拡径と圧入突片４３ｂの縮径とが同時に起こりながら圧入突片４３ｂが圧入孔４１ｂに嵌入される、いわゆる圧入が行われ、これによって操作片４３が左方の中央杆４１に固定される。
【００３１】
従って、操作片４３は、相当の力を加えることで中央杆４１の天板４１aに対して着脱自在になっており、好みのデザインのものに容易に交換し得るようになっている。
【００３２】
図５は、係止杆４の押え金具３に対する装着手順を示す説明図であり、図５の（イ）は、左側の側部杆４２を押え金具３のガイド溝３３に挿入する直前の状態、図５の（ロ）は、左側の側部杆４２がガイド溝３３に挿入されつつある状態、図５の（ハ）は、右側の側部杆４２をガイド溝３３に挿入する直前の状態、図５の（ニ）は、右側の側部杆４２がガイド溝３３に装着された状態をそれぞれ示している。
【００３３】
係止杆４を押え金具３に装着するに際しては、まず、左側の側部杆４２を押え金具３の装着口３４（図１）に嵌め込むことによって、図５の（イ）に示す状態になる。この状態で左側の側部杆４２を左方に向けて押圧することにより被ガイド突条４２ｂ（図１）が押え金具３のガイド溝３３に嵌まり込み、これによって側部杆４２がガイド突条３２間に嵌め込まれていくことになる。
【００３４】
そして、側部杆４２のほとんどがガイド突条３２間に嵌め込まれた状態で、側部杆４２の仕切り壁４２ｄが左側の第１係止突起３１ａに干渉するが、このとき側部杆４２を左方に向けて強く押圧することにより、仕切り壁４２ｄの下縁部が第１係止突起３１ａの傾斜面３１ｂに案内されて傾斜を登るため、それに合わせて被ガイド突条４２ｂやガイド突条３２が弾性変形し、図５の（ロ）に示すような状態になる。この状態でさらに側部杆４２を左方に向けて押圧することにより、仕切り壁４２ｄが第１係止突起３１ａを乗り越えて左方に移動し、これによって左側の側部杆４２が押え金具３に装着された状態になる。
【００３５】
ついで、図５の（ハ）に示すように、右側の側部杆４２を装着口３４に嵌め込んで右方に向けて移動させると、図５の（ニ）に示すように、係止杆４が押え金具３に装着される。そして、一旦係止杆４が押え金具３に装着された状態、すなわち各側部杆４２がガイド溝３３に嵌め込まれた状態では、操作片４３の操作で中央杆４１を解除姿勢に設定することによって各側部杆４２を互いに接近する方向に移動させても、側部杆４２の仕切り壁４２ｄが金具本体３１の第１係止突起３１ａに当止するため、側部杆４２が装着口３４から抜け出るという不都合が確実に防止される。
【００３６】
綴り具１の上記構成によれば、書類Ｄの一対の綴り孔Ｄ１に綴り足部材２の各綴り足２２をそれぞれ差し通し、引き続き中央杆４１が綴り解除姿勢に設定されている押え金具３の一対の挿通孔３５を各綴り足２２に外嵌することによって、図１に示すように、書類Ｄが綴り足部材２の挟み板２１と押え金具３とによって挟持された状態になる。
【００３７】
この状態で、操作片４３の上端部を下方に向けて押圧することにより、中央蝶番部４４によって連結されて斜めに起立している各中央杆４１の傾斜角度がそれぞれ小さくなっていって各中央杆４１の下端部がそれぞれ離間方向に移動し、これによって側部蝶番部４５を介して中央杆４１に連結している一対の側部杆４２がガイド溝３３に案内されながら一対の綴り足２２を押し倒しつつ金具本体３１上を離間方向にそれぞれ移動して中央杆４１が綴り姿勢に設定され、図３および図４に示すように、書類Ｄが綴り具１によって綴られた状態になる。
【００３８】
逆に綴り具１によって綴られた書類Ｄを綴り具１から外すには、図３および図４に示す状態の操作片４３を指で摘まんで上方に引き上げればよい。そうすれば、綴り姿勢に設定されている一対の中央杆４１がそれぞれ上方に引き上げられ、これによって左右の側部杆４２が金具本体３１上を互いに接近する方向に移動して、図２に示すように、綴り足２２の係止を解除した状態になる。この状態で綴り足２２を書類Ｄの綴り孔Ｄ１から引き抜くことによって書類Ｄの綴り状態を解消することができる。
【００３９】
図６は、本発明に係る操作片４３の作用を説明するための説明図であり、（イ）は、中央杆４１が綴り解除姿勢に設定された状態、（ロ）は、中央杆４１が綴り姿勢に設定された状態をそれぞれ示している。図６に示すように、本発明においては、一方（図の左方）の中央杆４１に、他方（図の右方）の中央杆４１に掛るように操作片４３が固定されている。従って、綴り解除姿勢に設定されている中央杆４１を綴り姿勢に姿勢変更するに際しては、図６の（イ）に示すように、操作片４３の上端部が力Ｆで下方に向かって押圧されるため、操作片４３の上端部に姿勢変更操作のための力点Ｐ１が形成されるとともに、側部蝶番部４５に支点Ｏが形成される。
【００４０】
従って、支点Ｏと力点Ｐとの間の距離をＬ１とすれば、中央杆４１を綴り姿勢に姿勢変更させるために中央杆４１にはＬ１×Ｆ１のモーメントが作用することになる。これに対して従来のように操作片４３が存在しない状態では、操作片４３の上端部が力点Ｐ２になるため、作用点Ｏおよび力点Ｐ２間の水平距離をＬ２、力点Ｐ２に加える力をＦ２として、中央杆４１に作用するモーメントはＬ２×Ｆ２になる。そして、中央杆４１の姿勢変更には同一のモーメントが必要であるためＬ１×Ｆ１＝Ｌ２×Ｆ２であり（すなわちＦ１＝（Ｌ２/Ｌ１）×Ｆ２）、しかもＬ２＜Ｌ１であることから、Ｆ１＜Ｆ２となる。
【００４１】
これによって綴り解除姿勢にある中央杆４１を綴り姿勢に姿勢変更を行うために要する力は、操作片４３を備えた本願発明の方が、操作片４３のない従来のものより小さくてよいことが判る。
【００４２】
このことについては、図６の（ロ）に示すように、綴り姿勢に姿勢設定された中央杆４１を綴り解除姿勢に姿勢変更する場合についても、力の加わる向きが上記と逆になるだけで、従来のものより本願発明の方が、少ない力で操作することができる点については同様である。
【００４３】
【発明の効果】
請求項１記載の綴り具によれば、書類の綴り孔に一対の綴り足を通した状態で、各綴り足を押さえ金具の挿通孔に差し通し、解除姿勢に姿勢設定されている係止杆の各中央杆を下方に向けて押圧することにより、各側部杆は押え金具に案内されつつ挿通孔から上方に突出している綴り足を押し倒しながら互いに離間する方向に移動し、係止杆が綴り姿勢に設定されることにより綴り足が側部杆と押さえ金具との間に押圧挟持され、これによって書類を綴り具で綴られた状態にすることができる。
【００４４】
逆に書類が綴り具に綴られた状態で操作片の先端を指で摘まんで引き起こすことにより、一対の中央杆は、その連結位置が上に凸に折れ曲がって逆Ｖ字状に押え金具上に立直するとともに、各側部杆は互いに近接する方向に移動し、これによって係止杆を綴り姿勢から解消姿勢に姿勢変更することができる。そして、係止杆が解消姿勢に設定されると、綴り足の側部杆および押え金具間の押圧挟持が解消されるため、綴り足を押え金具の挿通孔から引き抜くことにより書類を綴り具から外すことができる。
【００４５】
そして、一方の中央杆の上面には、他方の中央杆の上面に亘るように操作片が取り付けられているため、係止杆を姿勢変更するに際し、操作片の先端と中央杆の曲折位置との間の距離、すなわちモーメントの支点と力点との間の距離が、操作片が存在しない場合に比較して長くなっている。従って、中央杆の押圧や引き起こしを従来よりも楽に行うことができる。
【００４６】
請求項２記載の綴り具によれば、操作片を中央杆に着脱自在に装着したため、操作片として各種のデザインを施したものの複数種類を予め用意しておくことにより、操作片を好みに応じて取り換えることができる。また、顧客の要望に応じて調製した操作片を取り付けたものを容易にオーダーメイドすることができる。
【図面の簡単な説明】
【図１】  本発明に係る綴り具の一実施形態を示す分解斜視図である。
【図２】  図１の綴り具の組立て斜視図である。
【図３】  図１の綴り具の組立て斜視図であり、係止杆が綴り姿勢に設定された状態を示している。
【図４】  図３のＡ-Ａ線断面図である。
【図５】  係止杆の押え金具に対する装着手順を示す説明図であり、（イ）は、左側の側部杆を押え金具のガイド溝に挿入する直前の状態、（ロ）は、左側の側部杆がガイド溝に挿入されつつある状態、（ハ）は、右側の側部杆をガイド溝に挿入する直前の状態、（ニ）は、右側の側部杆がガイド溝に装着された状態をそれぞれ示している。
【図６】  本発明に係る操作片の作用を説明するための説明図であり、（イ）は、中央杆が綴り解除姿勢に設定された状態、（ロ）は、中央杆が綴り姿勢に設定された状態をそれぞれ示している。
【図７】  （イ）および（ロ）は、従来の綴り具を例示する側面視の断面図である。
【符号の説明】
１  綴り具              ２  綴り足部材
２１  挟み板            ２２  綴り足
２２ａ  係止突片        ２３  止め孔
３  押え金具            ３１ａ  第１係止突起
３１ｂ  傾斜面          ３１ｃ第２係止突起
３２  ガイド突条        ３３  ガイド溝
３４装着口              ３５  挿通孔
４  係止杆              ４１  中央杆
４１ａ  天板            ４１ｂ  圧入孔
４２  側部杆            ４２ａ  側部杆本体
４２ｂ  被ガイド突条    ４２ｃ  指掛け突起
４２ｄ  仕切り壁        ４３  操作片
４４  中央蝶番部        ４５  側部蝶番部
Ｄ  書類                Ｄ１  綴り孔
【図１】
0004298852.tif 000002
【図２】
0004298852.tif 000003
【図３】
0004298852.tif 000004
【図４】
0004298852.tif 000005
【図５】
0004298852.tif 000006
【図６】
0004298852.tif 000007
【図７】
0004298852.tif 000008